(57)【特許請求の範囲】
【請求項１】
座部と、
前記座部の後部に立てられる背もたれと、
前記背もたれに設けられた発光体と、
前記発光体に一端面が向き、当該一端面から入射した光を周面から出射する線状導光体と、を備え、
溝が前記背もたれの背面下部において左右に形成され、
前記溝が下方に開口し、
前記線状導光体が前記溝に嵌め込まれ、
前記線状導光体が前記背もたれの背面下部において左右に配索され、
前記背もたれが、着座者の背中を受けるパッドと、前記パッドの背面側を覆うシートバックカバーと、を備え、
前記溝が前記シートバックカバーの下縁に沿って左右に延設されるよう前記シートバックカバーの表面の下部に形成され、前記溝が下斜め後ろに向かって開口し、
前記発光体が前記シートバックカバーの下縁よりも上において前記シートバックカバーの裏面に組み付けられ、
前記線状導光体が前記発光体から下に延びて前記溝に嵌め込まれて、前記溝に沿って設けられている、車両用シート。
【請求項２】
前記線状導光体が前記シートバックカバーの左端部から右端部にかけて前記シートバックカバーの下縁に沿って配策されている、請求項１に記載の車両用シート。
【発明の詳細な説明】
【技術分野】
【０００１】
本発明は、車両用シートに関し、特に照明機能を有する車両用シートに関する。
【背景技術】
【０００２】
例えば自動車用のシートのように、所定箇所を照明するために照明装置が設けられたシートがあり、照明装置の光源には電球が用いられている。照明範囲を広くするために、複数の電球を用いたものもある。また、電球の数を少なくしても、照明範囲を広くするために、光ファイバのような線状導光体を用いたものもある（例えば、特許文献１参照）。特許文献１に記載の技術においては、線状導光体が後部座席の後ろから後部座席の側面、前部座席の側面を通って前部座席の下側まで配索されている。線状導光体が前部座席と後部座席との間において線状導光体の周面から光が出射すると、後部座席の乗員の足下を照らすことができる。
【特許文献１】実開平６−２２０８２号公報
【発明の開示】
【発明が解決しようとする課題】
【０００３】
ところで、引用文献１に記載の技術では、線状導光体が前部座席と後部座席との間において床に敷設されているから、後部座席の乗員の足が線状導光体に絡んでしまう。一方、線状導光体に足などが絡まないようにするために、車室の天井等に線状導光体を設置すると、後部座席の乗員の足下を照らすことができない。
そこで、本発明の課題は、後部座席の乗員の足下を照らすことができるようにするとともに後部座席の乗員の足等が線状導光体に絡まないようにすることである。
【課題を解決するための手段】
【０００４】
以上の課題を解決するため、請求項１に係る発明によれば、座部と、前記座部の後部に立てられる背もたれと、前記背もたれに設けられた発光体と、前記発光体に一端面が向き、当該一端面から入射した光を周面から出射する線状導光体と、を備え、溝が前記背もたれの背面下部において左右に形成され、前記溝が下方に開口し、前記線状導光体が前記溝に嵌め込まれ、前記線状導光体が前記背もたれの背面下部において左右に配索され、前記背もたれが、着座者の背中を受けるパッドと、前記パッドの背面側を覆うシートバックカバーと、を備え、前記溝が前記シートバックカバーの下縁に沿って左右に延設されるよう前記シートバックカバーの表面の下部に形成され、前記溝が下斜め後ろに向かって開口し、前記発光体が前記シートバックカバーの下縁よりも上において前記シートバックカバーの裏面に組み付けられ、前記線状導光体が前記発光体から下に延びて前記溝に嵌め込まれて、前記溝に沿って設けられている、車両用シートが提供される。
【０００７】
請求項２に係る発明によれば、前記線状導光体が前記シートバックカバーの左端部から右端部にかけて前記シートバックカバーの下縁に沿って配策されている、請求項１に記載の車両用シートが提供される。
【発明の効果】
【０００８】
本発明によれば、線状導光体が背もたれの背面下部において左右に配索されているので、発光体の光が線状導光体の端面に入射し、線状導光体の伝播する光が線状導光体の周面から出射すると、後部座席の乗員の足下を照らすことができる。線状導光体が左右に配索されているから、それによる照明範囲を左右に広くすることができるうえ、装飾的効果も向上する。
また、線状導光体が背もたれの背面下部に配索されているから、後部座席の乗員の足が線状導光体に絡むことがない。
【発明を実施するための最良の形態】
【０００９】
以下に、本発明を実施するための好ましい形態について図面を用いて説明する。但し、以下に述べる実施形態には、本発明を実施するために技術的に好ましい種々の限定が付されているが、発明の範囲を以下の実施形態及び図示例に限定するものではない。
【００１０】
図１は、車両用シート１を示した斜視図である。
図１に示すように、車両用シート１は、座部２と、座部２の後端部において起立した状態に設けられる背もたれ３と、背もたれ３の上端部に設けられたヘッドレスト４と、を備える。
【００１１】
座部２は前後位置調整機構部及び高さ調整機構部を介して車両の車室のフロアに連結され、座部２の前後位置が位置調整機構によって調整され、更に座部２の高さが高さ調整機構部によって調整される。なお、このような位置調整機構部や高さ調整機構部としては、従来から公知のものを用いることができる。
【００１２】
座部２の後端部には、リクライニング機構部を介して背もたれ３が連結されている。リクライニング機構は座部２に対して背もたれ３の角度を調整するものであり、リクライニング機構によって背もたれ３が後ろに倒れたり、前に立ち上がったりし、更にリクライニング機構が背もたれ３をロックする。
【００１３】
図２は、図１に示されたII−IIに沿った横断面の矢視断面図であり、図３は、図１に示されたIII−IIIに沿った縦断面の矢視断面図であり、図４は、車両用シート１を示した概略側面図である。なお、図４は、車両用シート１を後部座席８０とともに車室に設置した状態を示したものである。
【００１４】
図１〜図４に示すように、この車両用シート１の背もたれ３においては、背もたれ３の骨格をなす金属製のフレーム３１の背面の両サイドから側面及び前面にかけてパッド３２が取り付けられ、このパッド３２が表皮３３によって被覆されている。また、フレーム３１及びパッド３２の組み体の背面にシートバックカバー４０が取り付けられている。
【００１５】
パッド３２はウレタンフォーム材からなり、表皮３３は布製、皮革製又は合成皮革製である。表皮３３がパッド３２と一体になるよう縫い付け等によって組み付けられている。着座者が車両用シート１に着座すると、着座者の背中が表皮３３を介してパッド３２に受けられる。
【００１６】
シートバックカバー４０は、樹脂成型品である。シートバックカバー４０は、フレーム３１及びパッド３２の組み体の背面ほぼ全体にわたってこれらの組み体の後面を覆っている。シートバックカバー４０の表面（後ろ側の面）には、ポケット４１が設けられ、このポケット４１が上を向いて開口している。
【００１７】
シートバックカバー４０の裏面（前側の面）であってその下部左側には、発光ユニット５０がホルダ６０を介して取り付けられている。発光ユニット５０がホルダ６０によって抱持されるようホルダ６０に組み付けられ、ホルダ６０がシートバックカバー４０の裏面に組み付けられている。発光ユニット５０は、その光の照射方向を左に向けてフロントカバー３０に取り付けられている。発光ユニット５０は、発光ダイオード、レーザーダイオード、冷陰極管、エレクトロルミネッセンス素子といった発光素子を有し、必要に応じて集光レンズ、反射鏡等の光学素子を有する。
【００１８】
可撓性の線状導光体７０の一端部７１がホルダ６０に組み付けられている。具体的には、ホルダ６０に取付孔６１が形成され、線状導光体７０の一端部７１がその取付孔６１に差し込まれ、線状導光体７０の端面７２が発光ユニット５０に向いている。これにより、発光ユニット５０から発した光が線状導光体７０の端面７２に入射するよう、発光ユニット５０と線状導光体７０が配置されている。
【００１９】
線状導光体７０は、シートバックカバー４０の裏側において下に曲げられ更に右に曲げられ、背もたれ３の背面下部においてシートバックカバー４０の左端部から右端部にかけてシートバックカバー４０の下縁に沿って配策されている。具体的には、図３に示すようにして、線状導光体７０がシートバックカバー４０に取り付けられている。即ち、シートバックカバー４０の表面の下部には、シートバックカバー４０の下縁に沿った溝４２が形成されている。この溝４２が左右に延設され、この溝４２の開口が下斜め後ろに向いている。線状導光体７０がこの溝４２に嵌め込まれ、線状導光体７０がこの溝４２に沿って左右に敷設されている。なお、溝４２の底の面が鏡面仕上げされていたり、その面に金属反射膜が成膜されていたりしてもよい。
【００２０】
線状導光体７０は、発光ユニット５０から端面７２に入射した光を他方の端面７４に導く。線状導光体７０の他方の端面７４から光が出射してもよいし、その端面７４が遮光材によって被覆されていてもよい。更に、線状導光体７０内を伝播している光が線状導光体７０の周面から出射する。例えば、線状導光体７０は、線状のコアと、そのコアの周面を被覆した管状のクラッドとを有する光ファイバであり、コアを伝播している光が散乱して線状導光体７０の周面（クラッドの周面）から出射するよう、クラッドとコアの境界面が凹凸に形成されていたり、コアに微粒子又は気泡が分散していたりする。なお、線状導光体７０の周面全体から光が出射するのではなく、一部から出射するようになっていてもよい。線状導光体７０の周面の一部から出射する場合には、その出射する部分が溝４２の開口で露出するよう線状導光体７０が溝４２に嵌め込まれている。
【００２１】
この車両用シート１においては、発光ユニット５０が発光すると、光が線状導光体７０の端面７２に入射し、線状導光体７０がその周面において光る。線状導光体７０が溝４２に嵌め込まれており、溝４２が下斜め後ろに向かって開口しているので、車両用シート１の後方であって床に向かって照明される。その照明範囲は図４に示されたα領域となり、後部座席８０に着座した乗員８１の足下が照明される。
【００２２】
この発光ユニット５０の発光タイミングは、制御回路及び検知器によって決められる。具体的には、検知器が車両のドアに設けられ、ドアが開いたことが検知器によって検知されると、その旨の信号（例えば、ハイレベル）が検知器から制御回路に出力される。ドアが開放した旨の信号を受けた制御回路が発光ユニット５０を発光させると、車両用シート１の周囲が照明される。そうすると、乗員が車両に乗り込む時に車両用シートの位置が明確になるので、乗員が車両用シート１に座りやすくなる。一方、ドアが閉じたことが検知器によって検知されると、その旨の信号（例えば、ローレベル）が検出器から制御回路に出力される。ドアが閉じた旨の信号を受けた制御回路が発光ユニット５０を消灯させると、車両用シート１の周囲が暗くなる。なお、制御回路は、ドアが閉じた旨の信号を受けた後、所定期間経過後に発光ユニット５０を消灯するものとしてもよい。また、制御回路及び検知器とは別に、手動スイッチによって発光ユニット５０が発光・消灯するものとしてもよい。
【００２３】
以上のように、本実施形態によれば、１つの発光ユニット５０で車両用シート１の後方において左右に広い範囲を照明できるので、電力消費を低減することができる。
また、その照明範囲につき共通の１つの発光ユニット５０を用いたので、その範囲内での位置によって照度がばらつくことを抑えることができる。
また、車両用シート１の背面下側において線状導光体７０が線状に光るので、車両用シート１の審美性が向上する。
また、溝４２が斜め下に開口しているので、車室の上の方が照らされるのではなく、床が照らされる。そのため、発光ユニット５０及び線状導光体７０等による照明が、間接照明として機能する。
また、線状導光体７０が溝４２に嵌め込まれているので、線状導光体７０が撓まず、溝４２に沿った線状の照明を確実に構成することができる。また、線状導光体７０が撓まず、線状導光体７０が溝４２から外れにくいので、後部座席８０の乗員８１の足等が線状導光体７０に絡まない。
また、溝４２がシートバックカバー４０の左右全体にわたって下斜め後ろに開口しているので、溝４２の一部で光が遮られることがない。
また、この車両用シート１がリクライニング式であるので、背もたれ３の角度によって線状導光体７０による照明範囲を調整することができる。
また、線状導光体７０が背もたれ３の背面下部に設けられているから、線状導光体７０が後部座席８０の乗員８１にとって邪魔にならない。特に、線状導光体７０が乗員８１の足などに絡まったり、乗員８１が線状導光体７０に足を引っかけたりしない。
また、線状導光体７０が左右に配索されているから、後部座席８０の乗員８１の足等が左右の広い範囲で照らされる。
【００２４】
なお、本発明を適用可能な実施形態は、上述した実施形態に限定されることなく、本発明の趣旨を逸脱しない範囲で適宜変更可能である。
上記実施形態では、車両用シート１が自動車の車室に取り付けられる車両用シートであるが、車両用シート１の用途は自動車用に限るものではない。
【図面の簡単な説明】
【００２５】
【図１】本発明を適用した実施形態における車両用シートを示した斜視図である。
【図２】図１に示されたII−II線に沿った面の矢視断面図である。
【図３】図１に示されたIII−III線に沿った面の矢視断面図である。
【図４】上記車両用シートを後部座席とともに示した側面図である。
【符号の説明】
【００２６】
１  車両用シート
２  座部
３  背もたれ
３２  パッド
４０  シートバックカバー
４２  溝
５０  発光ユニット
７０  線状導光体
７２、７４  端面
【図１】
0005301849.tif 000002
【図２】
0005301849.tif 000003
【図３】
0005301849.tif 000004
【図４】
0005301849.tif 000005